(57)【要約】【課題】ユーザーが入力をより容易に行うことのできる電子機器及びその制御方法を提供する。【解決手段】プリンターは、ユーザーによる入力操作がない場合には、入力値表示部５２を表示し、項目表示部５６を、キー表示部５４に重ねて表示する。つまり、ユーザーによる入力操作がないときに視認する必要の低いキー表示部５４に重ねて項目表示部５６を表示することにより、入力操作時における入力値表示部５２やキー表示部５４の表示領域を確保したまま、入力操作がないときに項目表示部５６を表示可能である。したがって、ユーザーは入力をより容易に行うことができる。ここで、ユーザーによる表示切替操作があった場合や、ユーザーによる入力操作が所定時間ない場合には、項目表示部５６をキー表示部５４に重ねて表示するものとしてもよい。【選択図】図３
2011126079.tif 000002
【特許請求の範囲】
【請求項１】
ユーザーが入力値を入力可能な入力手段と、
画像を表示可能な表示手段と、
ユーザーによる前記入力手段での入力操作がない場合には、入力値を表示する入力値表示部を表示し、ユーザーの入力すべき入力項目を表示する項目表示部を、入力キーが配列されユーザーに視認されるキー表示部に重ねて表示するよう前記表示手段を制御する制御手段と、
を備えた電子機器。
【請求項２】
前記制御手段は、ユーザーによる入力操作が所定時間ない場合には、前記項目表示部を前記キー表示部に重ねて表示するよう前記表示手段を制御する、請求項１に記載の電子機器。
【請求項３】
前記制御手段は、ユーザーによる表示切替操作があり、表示切替後の表示において前記入力値表示部に入力値がある場合には、前記項目表示部を前記キー表示部に重ねて表示するよう前記表示手段を制御する、請求項１又は２に記載の電子機器。
【請求項４】
前記制御手段は、前記項目表示部を、前記キー表示部に表示された各々の入力キーの少なくとも一部の領域が視認可能となるように重ねて表示するよう前記表示手段を制御する、請求項１〜３のいずれか１項に記載の電子機器。
【請求項５】
前記制御手段は、前記項目表示部を前記キー表示部に重ねて表示するに際して、前記入力値表示部と前記項目表示部とを隣接させて表示するよう前記表示手段を制御する、請求項１〜４のいずれか１項に記載の電子機器。
【請求項６】
前記制御手段は、前記入力値表示部に表示する入力値がない場合には、前記項目表示部を前記キー表示部に重ねて表示するのに代えて、前記入力値表示部にユーザーの入力すべき項目を表示するよう前記表示手段を制御する、請求項１〜５のいずれか１項に記載の電子機器。
【請求項７】
前記制御手段は、ユーザーによる前記入力手段での入力操作があった場合には、前記項目表示部を非表示とするよう前記表示手段を制御する、請求項１〜６のいずれか１項に記載の電子機器。
【請求項８】
ユーザーが入力値を入力可能な入力手段と、画像を表示可能な表示手段と、を備えた電子機器の制御方法であって、
（ａ）ユーザーによる前記入力手段での入力操作がない場合には、入力値を表示する入力値表示部を表示し、ユーザーの入力すべき入力項目を表示する項目表示部を、入力キーが配列されユーザーに視認されるキー表示部に重ねて表示するよう前記表示手段を制御するステップ、
を含む電子機器の制御方法。
【発明の詳細な説明】
【技術分野】
【０００１】
本発明は、電子機器及びその制御方法に関する。
【背景技術】
【０００２】
従来、電子機器としては、オペレーターが希望した場合にのみ雛形文書に対応した解説文を表示することができる電子文書作成支援装置が提案されている（例えば特許文献１参照）。この電子文書作成支援装置は、雛形文書ファイルと、この雛形文書ファイルについての説明文を記載したヘルプファイルと、この雛形文書ファイル中の必須項目に対する入力を行うためのコンポーネント固有ウィザードプログラム又は汎用ウィザード用定義スクリプトファイルと、これらを互いに関連付けるコンポーネント情報ファイルと、から構成されたコンポーネントを有している。コンポーネント一覧選択プログラムは、いずれかのコンポーネントが選択された後、ヘルプボタンが押下されると、そのコンポーネントに関するウィザードプログラムを起動して、雛形文書ファイルの必須項目に対する入力を行わせるものである。
【先行技術文献】
【特許文献】
【０００３】
【特許文献１】特開２００１−５２０８７号公報
【発明の概要】
【発明が解決しようとする課題】
【０００４】
ところで、電子機器としては、画面に入力キーを表示するものが知られている。このような電子機器では、１画面中に、ユーザーへ操作を提供する入力キーの部分と、入力した内容を提示するための部分とを表示することがある。このような場合、特許文献１に記載の雛形文書などを表示しようとすると、入力している項目がわからなくなったり、入力キーが視認できなくなるなどしてユーザーが入力を行いにくいことがあった。
【０００５】
本発明は、このような課題に鑑みなされたものであり、ユーザーが入力をより容易に行うことのできる電子機器及びその制御方法を提供することを主目的とする。
【課題を解決するための手段】
【０００６】
本発明は、上述の主目的を達成するために以下の手段を採った。
【０００７】
本発明の電子機器は、
ユーザーが入力値を入力可能な入力手段と、
画像を表示可能な表示手段と、
ユーザーによる前記入力手段での入力操作がない場合には、入力値を表示する入力値表示部を表示し、ユーザーの入力すべき入力項目を表示する項目表示部を、入力キーが配列されユーザーに視認されるキー表示部に重ねて表示するよう前記表示手段を制御する制御手段と、
を備えたものである。
【０００８】
この電子機器では、ユーザーによる入力手段での入力操作がない場合には、入力値を表示する入力値表示部を表示し、ユーザーの入力すべき入力項目を表示する項目表示部を、入力キーが配列されユーザーに視認されるキー表示部に重ねて表示する。このように、ユーザーによる入力操作がないときに視認する必要の低いキー表示部に項目表示部を重ねて表示することにより、入力操作時における入力値表示部やキー表示部の表示領域を確保したまま、入力操作がないときに項目表示部を表示可能である。したがって、ユーザーは入力をより容易に行うことができる。
【０００９】
本発明の電子機器において、前記制御手段は、ユーザーによる入力操作が所定時間ない場合には、前記項目表示部を前記キー表示部に重ねて表示するよう前記表示手段を制御するものとしてもよい。こうすれば、入力途中で入力操作を中断し再開する場合などに、ユーザーは入力すべき入力項目を容易に把握可能であるため、その後の入力をより容易に行うことができる。ここで、所定時間とは、ユーザーが入力操作を中断しているのを判定可能な時間として経験的に定められるものとしてもよく、例えば５秒などとすることができる。
【００１０】
本発明の電子機器において、前記制御手段は、ユーザーによる表示切替操作があり、表示切替後の表示において前記入力値表示部に入力値がある場合には、前記項目表示部を前記キー表示部に重ねて表示するよう前記表示手段を制御するものとしてもよい。こうすれば、入力済の入力値と入力項目とを同時に視認可能であり、ユーザーは入力値がどの入力項目に対するものであるかを容易に把握可能であるため、その後の入力をより容易に行うことができる。
【００１１】
本発明の電子機器において、前記項目表示部を、前記キー表示部に表示された各々の入力キーの少なくとも一部の領域が視認可能となるように重ねて表示するよう前記表示手段を制御するものとしてもよい。こうすれば、項目表示部が表示されている場合にも入力キーの位置を視認可能なため、ユーザーはその後の入力をより容易に行うことができる。
【００１２】
本発明の電子機器において、前記制御手段は、前記項目表示部を前記キー表示部に重ねて表示するに際して、前記入力値表示部と前記項目表示部とを隣接させて表示するよう前記表示手段を制御する、ものとしてもよい。こうすれば、ユーザーは入力値と入力項目との関係をより容易に把握可能であるため、その後の入力をより容易に行うことができる。
【００１３】
本発明の電子機器において、前記制御手段は、前記入力値表示部に入力値がない場合には、前記項目表示部を前記キー表示部に重ねて表示するのに代えて、前記入力値表示部にユーザーの入力すべき入力項目を表示するよう前記表示手段を制御するものとしてもよい。こうすれば、入力値表示部に入力値がない場合には項目表示部をキー表示部に重ねることなく入力項目が表示されるため、入力キーの位置の把握が容易となり、ユーザーはその後の入力をより容易に行うことができる。
【００１４】
本発明の電子機器において、前記制御手段は、ユーザーによる前記入力手段での入力操作があった場合には、前記項目表示部を非表示とするよう前記表示手段を制御するものとしてもよい。こうすれば、ユーザーによる入力操作があった場合にはキー表示部が視認可能なため、ユーザーはキー表示部を視認しながら容易に入力を行うことができる。
【００１５】
なお、本発明の電子機器において、前記制御手段は、前記入力値表示部と前記キー表示部とを隣接させて表示し、前記項目表示部を、前記入力キーのうちの前記入力値表示部側の一列目の一部に重ねて表示するものとしてもよい。こうすれば、入力値表示部と項目表示部とを同時に把握しやすく、さらに、入力キーの大部分の位置を視認可能であるため、ユーザーはその後の入力をより容易に行うことができる。また、本発明の電子機器において、前記入力手段は、前記表示手段に表示される前記キー表示部を利用したタッチパネルであるものとしてもよい。こうすれば、ユーザーは入力値等の視認と入力キーの操作とをタッチパネル内で完結できるため、入力をより容易に行うことができる。
【００１６】
本発明の電子機器の制御方法は、
ユーザーが入力値を入力可能な入力手段と、画像を表示可能な表示手段と、を備えた電子機器の制御方法であって、
（ａ）ユーザーによる前記入力手段での入力操作がない場合には、入力値を表示する入力値表示部を表示し、ユーザーの入力すべき入力項目を表示する項目表示部を、入力キーが配列されユーザーに視認されるキー表示部に重ねて表示するよう前記表示手段を制御するステップ、
を含むものである。
【００１７】
この電子機器の制御方法では、上述した電子機器と同様に、ユーザーによる入力操作がない場合に、項目表示部をキー表示部に重ねて表示するため、入力時における入力値表示部やキー表示部の視認性を確保したまま項目表示部を表示可能である。したがって、これらを視認することによってユーザーは入力をより容易に行うことができる。なお、この電子機器の制御方法において、上述した電子機器の種々の態様を採用してもよいし、上述した電子機器の各機能を実施するようなステップを追加してもよい。
【図面の簡単な説明】
【００１８】
【図１】プリンター２０の構成の概略を示す説明図。
【図２】画像表示ルーチンの一例を示すフローチャート。
【図３】表示画面５０の説明図。
【図４】表示画面１５０の説明図。
【発明を実施するための形態】
【００１９】
次に、本発明を実施するための最良の形態を図面を用いて説明する。図１は、本発明の一実施形態であるプリンター２０の構成の概略を示す説明図である。本実施形態のプリンター２０は、図１に示すように、装置全体の制御を司るコントローラー２１と、ユーザーへ情報を表示可能でありユーザーの指示を入力可能である操作パネル２５と、着色剤としてインクを用いて記録紙Ｓに印刷を行う印刷機構２８と、原稿を光学的に読み取って画像データを生成する読取機構２９と、図示しないＬＡＮに接続された図示しない外部機器との間で信号の送受信が可能なＩ／Ｆ３０と、を備えている。コントローラー２１は、ＣＰＵ２２を中心とするマイクロプロセッサとして構成されており、表示制御プログラム２３ａなどの各種制御プログラムを記憶したＲＯＭ２３と、一時的にデータを記憶するＲＡＭ２４とを備えている。このコントローラー２１は、図示しないバスを介して印刷機構２８や読取機構２９、操作パネル２５、Ｉ／Ｆ３０などと接続されている。操作パネル２５は、ユーザーがプリンター２０に対して各種の指示を入力するためのデバイスであり、各種の指示に応じた文字や画像が表示されタッチパネルとして構成されたカラー液晶パネルである表示部２６や、ユーザーの指示を各種ボタンにより入力可能である操作部２７などが設けられている。この操作部２７は、次画面へ遷移させる決定ボタン２７ａと、前画面へ遷移させる戻るボタン２７ｂと、入力処理をキャンセルさせるキャンセルボタン２７ｃと、プリンターに関する設定を開始または確定させる設定ボタン２７ｄと、上下左右ボタン及び決定ボタンを有する操作ボタン６０を備えている。印刷機構２８は、図示しないが、各色のインクに圧力をかけ、この加圧されたインクを記録紙Ｓに吐出して印刷処理を実行するインクジェット方式の機構である。なお、インクへ圧力をかける機構は、圧電素子の変形によるものとしてもよいしヒーターの熱による気泡の発生によるものとしてもよい。読取機構２９は、いわゆるフラットベッド型であり、ガラス面上に載置された原稿に光を照射して得られた反射光を各色に分解して入力する読取センサーを走査させて原稿上に形成された画像をデータとして読み取るものである。
【００２０】
次に、こうして構成された本実施形態のプリンター２０の動作、特にプリンター２０の表示部２６に表示画面５０を表示するときの動作について説明する。図２は、プリンター２０のＣＰＵ２２により実行される画像表示ルーチンの一例を表すフローチャートであり、図３は、表示部２６に表示する表示画面５０の説明図である。ここでは、説明の便宜のため、図示しないＬＡＮに接続されたプリンター２０のセキュリティー設定をする場合について説明する。
【００２１】
図２に示す画像表示ルーチンは、ＲＯＭ２３に表示制御プログラム２３ａとして記憶され、ユーザーによりセキュリティー設定用の設定ボタン２７ｄが押下されたあとＣＰＵ２２により実行される。このルーチンを開始すると、まず、ＣＰＵ２２は、入力値表示部５２及びキー表示部５４を有する表示画面５０を表示部２６に表示させ（ステップＳ１００）、入力値表示部５２に、ユーザーの入力すべき入力項目を表示させる（ステップＳ１１０）。図３（ａ）は、ユーザーの入力すべき入力項目を入力値表示部５２に表示した表示画面５０の説明図である。この表示画面５０は、その上端に、ユーザーが入力した入力値を表示する入力値表示部５２が配置され、入力値表示部５２の下方に、入力キーが配列されたキー表示部５４が配置されている。このキー表示部５４には複数の入力キーが配列され、左側の領域には、アルファベットや、数字、句読点などを表示するキーボードキー５４ａが配置されている。また、キー表示部５４の右側の領域には、大文字と小文字とを切り替える大文字小文字切替キー５４ｂ、記号を入力可能な記号キー５４ｃ、入力値表示部に表示されるカーソル５３の位置を左右に移動可能なカーソル移動キー５４ｄ、カーソル５３の前の文字を消去可能なバックスペース（ＢＳ）キー５４ｅ、スペースを挿入可能なスペースキー５４ｆ、入力内容を確定する確定キー５４ｇが上から順に配置されている。ここでは、ユーザーによる入力値がないことから、入力値表示部５２には入力項目である「セキュリティキー入力（５−２６文字）」を表示する。
【００２２】
次に、ＣＰＵ２２は、入力操作の有無を判定し（ステップＳ１２０）、入力操作がない場合にはそのまま待機し、入力操作があった場合にはこの入力操作が表示切替操作であるか否かを判定する（ステップＳ１３０）。ここで、入力操作の有無の判定は、キー表示部５４に配列された入力キーの操作があった場合および操作部２７に配置されたボタンが押下された場合に入力操作ありとするものとした。また、入力操作が表示切替操作であるか否かの判定は、決定ボタン２７ａが押下され表示画面５０を次の画面に遷移させる場合、戻るボタン２７ｂが押下され表示画面を前の画面に遷移させる場合、キャンセルボタン２７ｃが押下され入力内容を破棄して終了する場合、設定ボタン２７ｄが押下され入力内容を確定して終了する場合に表示切替操作であるとするものとし、その他の入力操作では表示切替操作でないとするものとした。そして、入力操作が表示切替操作でないと判定した場合には、入力値表示部５２に入力値があるか否かを判定し（ステップＳ１４０）、入力値がない場合には、ステップＳ１００以降の処理を繰り返す。すなわち、入力値表示部に入力項目を表示した状態でユーザーが入力操作をするまで待機する。例えば、一旦は入力値があった場合であっても、ユーザーがＢＳキー５４ｆを押下するなどして入力値がなくなった場合には、入力値がないと判定して、入力値表示部５２に入力項目を表示する。一方、入力値がある場合には、入力値表示部５２に入力値を表示する（ステップＳ１５０）。なお、入力値は、表示画面に対応付けて、ＲＡＭ２４の所定領域に格納するものとし、入力値表示部５２に入力値があるか否かの判定や入力値表示部５２への入力値の表示には、ＲＡＭ２４に格納された入力値を用いるものとする。
【００２３】
図３（ｂ）は、入力値表示部５２に入力値を表示したときの表示画面５０の説明図である。ここでは、ユーザーによって表示部５４の入力キー「Ｅ」が押下されたことから、ＣＰＵ２２は、入力値表示部５２に表示されていた「セキュリティキー入力（５−２６文字）」に代えて「Ｅ」の文字とカーソル５３とを表示する。続いて、ステップＳ１２０と同様にして入力操作の有無を判定し（ステップＳ１６０）入力操作があった場合には、ステップＳ１３０以降の処理を繰り返す。すなわち、ユーザーが表示切替操作をするまでのあいだ、入力値表示部５２に入力値がある場合、すなわち、ＲＡＭ２４に入力値が格納されている場合には、入力値表示部５２に入力値を表示した状態を継続する。一方、入力値表示部５２に入力値があり、ユーザーによる入力操作がない場合には、所定時間が経過したか否かを判定し（ステップＳ１７０）、所定時間を経過するまでは、ステップＳ１６０以降の処理を繰り返す。すなわち、所定時間内に入力操作があるか否かを判定する処理を繰り返す。所定時間が経過したときには、入力値表示部５２を表示すると共に、キー表示部５４に重ねて項目表示部５６を表示する（ステップＳ１８０）。ここで、所定時間は、ユーザーが入力操作を中断しているのを判定可能な時間として経験的に定めることができ、例えば、５秒などとすることができる。また、所定時間は、ユーザーが適宜設定可能なものとしてもよい。
【００２４】
図３（ｃ）は、入力値表示部５２を表示すると共に、キー表示部５４に重ねて項目表示部５６を表示した表示画面５０の説明図である。表示画面５０は、その上端に、ユーザーが入力した入力値を表示する入力値表示部５２が配置され、入力値表示部５２の下端に接するように、ユーザーの入力すべき入力項目を表示する項目表示部５６が配置されている。また、この項目表示部５６はキー表示部５４のうち最上段の入力キー（ここでは「Ａ」〜「Ｊ」及び大文字小文字切替キー５４ｂ）の上側の一部に重ねて配置されている。このように、ユーザーが入力操作を中断した場合には、入力値表示部５２に表示された入力値、キー表示部５４に配置されている入力キーのキー配置、項目表示部５６に表示された入力すべき入力項目を視認可能に配置することで、ユーザーのその後の入力操作を容易にするのである。ここでは、ユーザーが入力したセキュリティキーである「ＥＰＳＯＮ」の文字とカーソル５３とを入力値表示部５２に表示し、「セキュリティキー入力（５−２６文字）」というユーザーの入力すべき入力項目を項目表示部５６に表示する。
【００２５】
次に、ＣＰＵ２２は、再び入力操作の有無を判定し（ステップＳ１９０）、入力操作がない場合には、ステップＳ１８０以降の処理を繰り返す。すなわち、ユーザーによる入力操作があるまでは、キー表示部５４に重ねて項目表示部５６を表示した状態を継続する。一方、入力操作があった場合には、項目表示部５６を非表示とし（ステップＳ２００）、ステップＳ１３０以降の処理を繰り返す。すなわち、ユーザーが表示切替操作をするまでの間、入力値表示部５２に入力値がある場合、すなわち、ＲＡＭ２４に入力値が格納されている場合には、入力値表示部５２に入力値を表示し、その後、所定時間入力操作がない場合には、キー表示部５４に重ねて項目表示部５６を表示する。
【００２６】
一方、ＣＰＵ２２は、ステップＳ１３０において、ユーザーによる入力操作が表示切替操作であると判定した場合、それが設定終了の操作であるか否かを判定する（ステップＳ２１０）。ここでは、設定終了の操作であるか否かの判定は、入力内容を破棄してセキュリティー設定を終了させるキャンセルボタン２７ｃや入力内容を確定してセキュリティー設定を終了させる設定ボタン２７ｄをユーザーが押下した場合を、設定終了の操作であるとするものとした。そして、設定終了であると判定した場合には、このルーチンを終了する。一方、設定終了でないと判定した場合には、入力値表示部５２に入力値があるか否かを判定し（ステップＳ２２０）、入力値がない場合には、ステップＳ１００以降の処理を繰り返し、入力値がある場合には、ステップＳ１８０以降の処理を繰り返す。このように、入力値表示部５２に入力値がない場合にはユーザーの入力すべき入力項目を表示した入力値表示部５２及びキー表示部５４を表示してユーザーの入力操作があるまで待機する（図３（ａ）参照）。一方、入力値表示部５２に入力値がある場合には入力値を入力値表示部５２に表示すると共にキー表示部５４に重ねて項目表示部５６を表示してユーザーの入力操作があるまで待機するのである（図３（ｃ）参照）。なお、ここでは、ユーザーによる入力操作が設定終了以外の表示切替操作である場合には、キー表示部５４に重ねて項目表示部５６を表示したが、この表示切替操作から０．０１秒などの微視的な所定時間の経過を待ってキー表示部５４に重ねて項目表示部５６を表示してもよい。
【００２７】
ここで、本実施形態の構成要素と本発明の構成要素との対応関係を明らかにする。本実施形態のプリンター２０が電子機器に相当し、タッチパネルとして構成された表示部２６及び操作部２７が入力手段に相当し、表示部２６が表示手段に相当する。また、ＣＰＵ２２が制御手段に相当する。なお、本実施形態では、プリンター２０の動作を説明することにより本発明の電子機器の制御方法の一例も明らかにしている。
【００２８】
以上詳述した本実施形態のプリンター２０によれば、ＣＰＵ２２は、ユーザーがキー表示部５４に配列された入力キーを操作しておらず、操作部２７に配置されたボタンを押下していない場合、すなわち、ユーザーによる入力操作がない場合には、入力値表示部５２を表示し、項目表示部５６を、キー表示部５４に重ねて表示する。つまり、ユーザーによる入力操作がないときに視認する必要の低いキー表示部５４に重ねて項目表示部５６を表示することにより、入力操作時における入力値表示部５２やキー表示部５４の表示領域を確保したまま、入力操作がないときに項目表示部５６を表示可能である。したがって、ユーザーは入力をより容易に行うことができる。また、項目表示部を表示する際に入力値表示部やキー表示部のサイズを変更する必要がないため、制御手段による処理をより単純にすることができる。更に、表示される入力キーの位置が一定であるため、ユーザーは入力キーの位置をより容易に把握することができる。また、ユーザーによる入力操作が所定時間ない場合には、項目表示部５６をキー表示部５４に重ねて表示するため、入力途中で入力操作を中断し再開する場合などに、ユーザーは入力すべき入力項目を容易に把握可能であり、その後の入力をより容易に行うことができる。更に、ユーザーによる表示切替操作があり、表示切替後の表示において入力値表示部５２に入力値がある場合には、項目表示部５６をキー表示部５４に重ねて表示するため、入力済の入力値と入力すべき入力項目とを同時に視認可能であり、ユーザーはその後の入力をより容易に行うことができる。更にまた、項目表示部５６をキー表示部５４に表示された各々の入力キーの少なくとも一部の領域が視認可能となるように重ねて表示するため、項目表示部が表示されている場合にも入力キーの大部分の位置を視認可能であり、ユーザーはその後の入力をより容易に行うことができる。そして、項目表示部５６をキー表示部５４に重ねて表示するに際して、入力値表示部５２と項目表示部５４とを隣接させて表示するため、ユーザーは入力値と入力項目との関係をより容易に把握可能であり、その後の入力をより容易に行うことができる。そしてまた、入力値表示部５２に入力値がない場合には項目表示部をキー表示部に重ねることなく入力項目が表示されるため、入力キーの位置の把握が容易となり、ユーザーはその後の入力をより容易に行うことができる。そして更に、ユーザーによる入力操作があった場合には、項目表示部５６を非表示とするため、ユーザーはキー表示部を視認しながら容易に入力を行うことができる。そして更にまた、入力値表示部５２とキー表示部５４とを隣接させて表示し、項目表示部を入力キーのうちの入力値表示部側の一列目の一部に重ねて表示するため、入力値表示部と項目表示部とを同時に把握しやすく、さらに、入力キーの位置が視認可能であり、ユーザーはその後の入力をより容易に行うことができる。また、キー表示部５４は、タッチパネルとして構成されているため、ユーザーは入力値等の視認と入力キーの操作とをタッチパネル内で完結でき、入力をより容易に行うことができる。
【００２９】
なお、本発明は上述した実施形態に何ら限定されることはなく、本発明の技術的範囲に属する限り種々の態様で実施し得ることはいうまでもない。
【００３０】
例えば、上述した実施形態では、入力値表示部５２に入力値がない場合には入力値表示部５２に入力項目を表示するものとしたが、入力項目を表示しなくてもよい。例えば、入力値表示部５２に入力値がなく、所定時間入力操作がない場合にのみ入力値表示部５２にユーザーの入力すべき入力項目を表示してもよい。ここで、所定時間は、ユーザーが入力操作を中断しているのを判定可能な時間として経験的に定めることができ、例えば、５秒などとすることができる。また、所定時間は、ユーザーが適宜設定可能なものとしてもよい。
【００３１】
上述した実施形態では、ユーザーによる入力操作があった場合には、項目表示部５６を非表示とするものとしたが、これに限られない。例えば、ユーザーによる入力操作があった場合には、項目表示部を透過させて表示してもよい。
【００３２】
上述した実施形態では、入力値表示部５２に入力値がある場合に項目表示部５６をキー表示部５４に重ねて表示するものとしたが、入力値がない場合にも項目表示部５６をキー表示部５４に重ねて表示してもよい。
【００３３】
上述した実施形態では、入力操作が表示切替操作であった場合に項目表示部５６をキー表示部５４に重ねて表示し、表示切替操作以外の入力操作から所定時間経過した場合にも項目表示部５６をキー表示部５４に重ねて表示するものとしたが、どちらか一方としてもよい。また、ユーザーによる入力操作がない場合には時間に関係なく項目表示部５６をキー表示部５４に重ねて表示してもよい。
【００３４】
上述した実施形態では、キーボードキー５４ａは、アルファベットや、数字、句読点などを表示するものとしたが、これに限定されない。例えば、図４（ａ）に示すように、数字のみを表示したテンキーとしてもよい。図４は、テンキーを配置した表示画面１５０の説明図である。図４（ａ）は、入力値表示部１５２に入力値を表示したときの表示画面１５０の説明図である。図４（ｂ）は、キー表示部１５４に項目表示部１５６を重ねて表示したときの表示画面１５０の説明図である。キーボードキー１５４ａは、テンキーとして構成されている。ここでは、ＦＡＸ機能を備えたプリンターのＩＰアドレスの設定をするものとし、入力値表示部にはユーザーの入力した「１」とカーソル１５３とを表示する。こうすれば、数字のみを入力する場合に、ユーザーは入力を容易に行うことができる。また、ＦＡＸ装置などでは、テンキーを使用してダイヤルするのが一般的であり、テンキーの汎用性が高いため、テンキーを表示する表示画面で本発明を適用する意義が高い。
【００３５】
上述した実施形態では、表示画面５０の上端に入力値表示部５２を配置し、入力値表示部５２の下端に接するように項目表示部５６を配置し、また、項目表示部５６をキー表示部５４のうち最上段の入力キーの上側の一部に重ねて配置するものとしたが、入力値表示部５２、キー表示部５４、項目表示部５６の配置は、適宜変更してもよい。また、表示画面５０を遷移させるときに、配置を変更してもよい。
【００３６】
上述した実施形態では、表示画面５０の上端に入力値表示部５２を配置するものとしたが、入力値表示部５２を表示画面５０の左端や右端、下端に表示してもよい。
【００３７】
上述した実施形態では、項目表示部５６を入力値表示部５２に隣接させて表示するものとしたが、隣接させなくてもよい。例えば、入力値表示部５２と離れた位置に項目表示部５６を表示してもよい。また、項目表示部５６と入力値表示部５２とを一体として表示するものとしてもよい。また、上述した実施形態では、項目表示部５６は入力値表示部５２の一辺に接するように隣接させて表示したが、例えば、図４（ｂ）に示すように、入力値表示部５２の複数の辺と接するようにしてもよい。
【００３８】
上述した実施形態では、項目表示部５６をキー表示部５４のうち最上段の入力キーの上側の一部に重ねて配置するものとしたが、これに限られない。例えば、項目表示部５６を使用頻度の低い入力キーに重ねて表示するものとしてもよい。こうすれば、ユーザーが使用しようとする入力キーの全体を視認できる場合が多くなるため、ユーザーはその後の入力をより容易に行うことができる。なお、項目表示部をキー表示部の全部に重ねて表示するものとしてもよい。
【００３９】
上述した実施形態では、表示部２６は、タッチパネルとして構成されたカラー液晶パネルであるとしたが、タッチパネルとして構成されていなくてもよいし、カラーでなくてもよいし、液晶パネルでなくてもよい。例えば、ユーザーが操作ボタン６０を押下することによって、表示部２６に表示されたキー表示部５４の入力キーを選択するものとしてもよい。
【００４０】
上述した実施形態では、プリンタ２０を本発明の電子機器として説明したが、これに限定されない。例えば、炊飯器や冷蔵庫、洗濯機、音響機器、ＡＶ機器、ゲーム機器などの家電製品、携帯電話機やＰＤＡなどの情報端末、カーナビゲーションシステムなどのような、筐体に表示部を有するものとしてもよい。また、上述したプリンタ２０では、インクジェット式の印刷機構２８としたが、特にこれに限られず、カラーのドットインパクト方式、カラーの電子写真方式、カラーの熱転写式の印刷機構としてもよいし、これらのモノクロのものとしてもよい。また、上述したプリンタ２０では、フラットベッド型の読取機構２９としたが、特にこれに限られない。
【００４１】
上述した実施形態では、セキュリティキーの入力を行うものについて説明したが、どのような入力に適用してもよく、例えば、プリンター名の入力や、ＩＰアドレスの入力、サブネットマスクの入力、デフォルトゲートウェイの入力などを行うものとしてもよい。
【００４２】
上述した実施形態では、プリンタ２０として説明したが、電子機器の態様としてもよいし、電子機器の制御方法の態様としてもよいし、この方法のプログラムの態様としてもよい。
【符号の説明】
【００４３】
２０  プリンター、２１  コントローラー、２２  ＣＰＵ、２３  ＲＯＭ、２３ａ  表示制御プログラム、２４  ＲＡＭ、２５  操作パネル、２６  表示部、２７  操作部、２７ａ  決定ボタン、２７ｂ  戻るボタン、２７ｃ  キャンセルボタン、２７ｄ  設定ボタン、２８  印刷機構、２９  読取機構、３０  インターフェース（Ｉ／Ｆ）、５０，１５０  表示画面、５２，１５２  入力値表示部、５３，１５３  カーソル、５４，１５４  キー表示部、５４ａ，１５４ａ  キーボードキー、５４ｂ  大文字小文字切替キー、５４ｃ  記号キー、５４ｄ，１５４ｄ  カーソル移動キー、５４ｅ  バックスペース（ＢＳ）キー、５４ｆ  スペースキー、５４ｇ，１５４ｇ  確定キー、５６  項目表示部、６０  操作ボタン。
【図１】
2011126079.tif 000003
【図２】
2011126079.tif 000004
【図３】
2011126079.tif 000005
【図４】
2011126079.tif 000006